【手続補正書】
【提出日】令和3年12月3日(2021.12.3)
【手続補正１】
【補正対象書類名】明細書
【補正対象項目名】発明の名称
【補正方法】変更
【補正の内容】
【発明の名称】情報処理装置、情報処理方法及びプログラム
【手続補正２】
【補正対象書類名】明細書
【補正対象項目名】０００１
【補正方法】変更
【補正の内容】
【０００１】
本発明は、情報処理装置、情報処理方法及びプログラムに関する。
【手続補正３】
【補正対象書類名】明細書
【補正対象項目名】０００６
【補正方法】変更
【補正の内容】
【０００６】
一つの側面に係る情報処理装置は、複数の乗客が相乗りする車両の利用を所定の時点までに既に予約している前記乗客の乗車地点又は降車地点と、該乗客の乗車時刻又は降車時刻とを示す第１乗客情報を取得する第１取得部と、前記第１乗客情報に基づき、前記既に予約している乗客を複数の集合に分類する分類部と、前記集合毎に、複数の前記乗客を乗車又は降車させながら運行する経路を示す運行計画を生成する生成部と、前記車両の利用を前記所定の時点以降に申し込んだ新たな前記乗客の乗車地点又は降車地点と、該乗客の乗車時刻又は降車時刻とを示す第２乗客情報を取得する第２取得部とを備え、前記第２乗客情報を取得した場合、前記分類部は、該第２乗客情報に基づき、前記既に予約している乗客の前記集合に前記新たな乗客を分類すべきか否かを判定し、前記新たな乗客を前記集合に分類すべきと判定した場合、前記生成部は、前記既に予約している乗客が乗車する前記車両に変更が生じない範囲で、前記集合に対応する前記車両に前記新たな乗客を乗車又は降車させるように、生成済みの前記運行計画を更新することを特徴とする。
【手続補正４】
【補正対象書類名】特許請求の範囲
【補正対象項目名】全文
【補正方法】変更
【補正の内容】
【特許請求の範囲】
【請求項１】
複数の乗客が相乗りする車両の利用を所定の時点までに既に予約している前記乗客の乗車地点又は降車地点と、該乗客の乗車時刻又は降車時刻とを示す第１乗客情報を取得する第１取得部と、
前記第１乗客情報に基づき、前記既に予約している乗客を複数の集合に分類する分類部と、
前記集合毎に、複数の前記乗客を乗車又は降車させながら運行する経路を示す運行計画を生成する生成部と、
前記車両の利用を前記所定の時点以降に申し込んだ新たな前記乗客の乗車地点又は降車地点と、該乗客の乗車時刻又は降車時刻とを示す第２乗客情報を取得する第２取得部とを備え、
前記第２乗客情報を取得した場合、前記分類部は、該第２乗客情報に基づき、前記既に予約している乗客の前記集合に前記新たな乗客を分類すべきか否かを判定し、
前記新たな乗客を前記集合に分類すべきと判定した場合、前記生成部は、前記既に予約している乗客が乗車する前記車両に変更が生じない範囲で、前記集合に対応する前記車両に前記新たな乗客を乗車又は降車させるように、生成済みの前記運行計画を更新する
ことを特徴とする情報処理装置。
【請求項２】
前記乗客の属性を表す乗客属性情報を取得する第３取得部を備え、
前記生成部は、前記乗客属性情報に基づき、前記乗客を前記複数の集合に分類する
ことを特徴とする請求項１に記載の情報処理装置。
【請求項３】
前記車両の運転手の属性を表す運転手属性情報を取得する第４取得部を備え、
前記生成部は、前記運転手属性情報に基づき、前記乗客を前記複数の集合に分類する
ことを特徴とする請求項１又は２に記載の情報処理装置。
【請求項４】
前記車両の属性を表す車両属性情報を取得する第５取得部を備え、
前記生成部は、前記車両属性情報に基づき、前記乗客を前記複数の集合に分類する
ことを特徴とする請求項１〜３のいずれか１項に記載の情報処理装置。
【請求項５】
前記車両は、所定の出発地と、目的地である空港との間を往復する車両であって、
前記生成部は、前記第１及び第２乗客情報に基づき、前記車両の往路又は復路を示す前記運行計画であって、前記乗客が利用する航空機の離発着時刻の所定時間前までに送迎を完了させる前記運行計画を生成する
ことを特徴とする請求項１〜４のいずれか１項に記載の情報処理装置。
【請求項６】
前記分類部は、所定時間で区切った時間帯毎に前記乗客を前記集合に分類し、
前記生成部は、前記時間帯毎に分類された前記集合毎に前記運行計画を生成することで、前記離発着時刻の所定時間前までに送迎を完了させる前記運行計画を生成する
ことを特徴とする請求項５に記載の情報処理装置。
【請求項７】
前記生成部は、複数の前記車両のうち、前記乗客が無乗車である前記車両の台数を参照して前記運行計画を生成する
ことを特徴とする請求項１〜６のいずれか１項に記載の情報処理装置。
【請求項８】
前記生成部は、前記乗客が希望する乗車地点とは異なる乗車地点で前記乗客を乗車させる前記運行計画を生成し、
前記運行計画で定めた乗車地点を前記乗客に通知する通知部を備える
ことを特徴とする請求項１〜７のいずれか１項に記載の情報処理装置。
【請求項９】
前記第１又は第２取得部は、前記乗客が希望する乗車時刻は降車時刻と、前記車両が前記乗客を乗車又は降車させる乗車時刻又は降車時刻との間で許容される許容時間を含む前記第１乗客情報又は第２乗客情報を取得し、
前記生成部は、前記許容時間の範囲内で前記乗車時刻又は降車時刻を定めた前記運行計画を生成する
ことを特徴とする請求項１〜８のいずれか１項に記載の情報処理装置。
【請求項１０】
前記許容時間に応じて前記乗客の乗車料金を設定する第１設定部を備える
ことを特徴とする請求項９に記載の情報処理装置。
【請求項１１】
前記第２乗客情報は、前記新たな乗客の需要に関連する需要情報、又は前記車両の供給に関連する供給情報であり、
前記生成部は、前記需要情報又は供給情報に応じて前記車両に空き座席を設けた前記運行計画を生成する
ことを特徴とする請求項１〜１０のいずれか１項に記載の情報処理装置。
【請求項１２】
前記需要情報又は供給情報に基づき、前記乗客の乗車料金を設定する第２設定部を備える
ことを特徴とする請求項１１に記載の情報処理装置。
【請求項１３】
前記運行計画を参照して、前記車両の座席の空き状況を判定する判定部と、
前記座席の空き状況を、所定の乗客候補者の携帯端末に出力する出力部と
を備え、
前記第２取得部は、前記座席の空き状況の出力先から前記第２乗客情報を取得する
ことを特徴とする請求項１〜１２のいずれか１項に記載の情報処理装置。
【請求項１４】
前記運行計画に割り当てる運転手又は車両を、前記運行計画の内容と、前記運転手のスケジュール、前記車両のスケジュール、前記第１乗客情報、前記第２乗客情報、前記運転手に関する運転手情報、及び前記車両に関する車両情報の少なくとも何れか一つとに基づき判定する第２判定部を備える
ことを特徴とする請求項１〜１３のいずれか１項に記載の情報処理装置。
【請求項１５】
複数の乗客が相乗りする車両の利用を所定の時点までに既に予約している前記乗客の乗車地点又は降車地点と、該乗客の乗車時刻又は降車時刻とを示す第１乗客情報を取得し、
前記第１乗客情報に基づき、前記既に予約している乗客を複数の集合に分類し、
前記集合毎に、複数の前記乗客を乗車又は降車させながら運行する経路を示す運行計画を生成し、
前記車両の利用を前記所定の時点以降に申し込んだ新たな前記乗客の乗車地点又は降車地点と、該乗客の乗車時刻又は降車時刻とを示す第２乗客情報を取得し、
前記第２乗客情報を取得した場合、該第２乗客情報に基づき、前記既に予約している乗客の前記集合に前記新たな乗客を分類すべきか否かを判定し、
前記新たな乗客を前記集合に分類すべきと判定した場合、前記既に予約している乗客が乗車する前記車両に変更が生じない範囲で、前記集合に対応する前記車両に前記新たな乗客を乗車又は降車させるように、生成済みの前記運行計画を更新する
処理をコンピュータが実行することを特徴とする情報処理方法。
【請求項１６】
複数の乗客が相乗りする車両の利用を所定の時点までに既に予約している前記乗客の乗車地点又は降車地点と、該乗客の乗車時刻又は降車時刻とを示す第１乗客情報を取得し、
前記第１乗客情報に基づき、前記既に予約している乗客を複数の集合に分類し、
前記集合毎に、複数の前記乗客を乗車又は降車させながら運行する経路を示す運行計画を生成し、
前記車両の利用を前記所定の時点以降に申し込んだ新たな前記乗客の乗車地点又は降車地点と、該乗客の乗車時刻又は降車時刻とを示す第２乗客情報を取得し、
前記第２乗客情報を取得した場合、該第２乗客情報に基づき、前記既に予約している乗客の前記集合に前記新たな乗客を分類すべきか否かを判定し、
前記新たな乗客を前記集合に分類すべきと判定した場合、前記既に予約している乗客が乗車する前記車両に変更が生じない範囲で、前記集合に対応する前記車両に前記新たな乗客を乗車又は降車させるように、生成済みの前記運行計画を更新する
処理をコンピュータに実行させることを特徴とするプログラム。